Podtech/llm-jp-corpus-v4-ja_patent huggingface dataset:
(57)【要約】【課題】    コップを持ち運び、片付け時に小さくたためることを前提とする【解決手段】    コップの一部を折り込んで平面的にすることにより可能となる【選択図】図２
2011067582.tif 000002
【特許請求の範囲】
【請求項１】
容器底部から容器上部の開口部にむけて、閉口部が広がりをもち広がった上部に任意幅の折り込み幅をもうけ、容器底部とを結ぶ案内線によりコップの一部を折り込みできるコップ。
【請求項２】
請求項１に記載のコップであって、容器上部に動物などのデザインのあるコップの一部を折り込みできるコップ。
【請求項３】
請求項１に記載のコップであって、容器上部に花などのデザインのあるコップの一部を折り込みできるコップ。
【発明の詳細な説明】
【技術分野】
【０００１】    本発明は一部を折り込みできるコップに関するものである。
【背景技術】
【０００２】    従来のコップは、ガラス、又は合成樹脂などの成型品で作られていることが通常であった。紙コップもあるが、使い捨てなので味気無いものが多かった。【０００３】    入院中や職場などマイカップの使用が進められているが、持ち運び中に割れてしまったり、紙コップであれば使用の都度、捨てているので資源の無駄になっていた。【０００４】    従来の技術には、［特許文献１］  特願２００７−５２９１４６（Ｐ２００７−５２９１４６）携帯用コップ、［特許文献２］  実録３１３７８７３  エコフタ付き紙コップ構造  などがあり、持ち手や、フタ付きのコップなどがあった。
【発明の開示】
【発明が解決しようとする課題】
【０００５】    しかしながら上記特許文献１のコップは、図面から考えると２部構成になっていたり、特許文献２のようにフタ付きなどで、使用時にわずらわしさがみられた。
【課題を解決するための手段】
【０００６】    本発明は、上記課題に添ってなされたものであり、容器底部から容器上部の開口部にむけて広がりをもち、広がった上部に任意幅の折り幅をもうけ、容器底部とを結ぶ案内線により、コップの一部を折り込みできるコップを形成する。
【発明の効果】
【０００７】    本発明のコップを、請求項２の動物のデザインで表し、カエルに設定すると、コップの容器と一体化したものとなる。カエルにしたのは、（家に早く帰る）とコップからメッセージがもらえる。折り込み案内図は、図１、図２のように、底部に向かって小さくなっているので、コップを折り込むことにより立体的なコップが厚みのある平面的になる。
【発明を実施するための最良の形態】
【０００８】    このコップを使用することにより、心が明るくなり、使用後は案内線を利用し、折り込むことにより折り込みされたコップは、平面的になるので、引き出しなどにも片付けが容易である。コップの素材をシリコンにすれば、割れる心配もなく、軽くて持ち運びにも負担にならない。職場でもマイカップに利用すれば、飲用時だけでなく、食後の歯磨き用にも活用できるコップの一部を折り込みできるコップ。
【図面の簡単な説明】
【０００９】
【図１】本実施形態におけるカエルの正面図
【図２】本件発明の折り込み案内線を示す図
【図３】本件発明の折り込みされた平面図
【図４】本件発明の折り込みされた側面図
【符号の説明】
【００１０】１    折り込み上部
２    折り込み部
３    コップ上端部
５    コップ部
【図１】
2011067582.tif 000003
【図２】
2011067582.tif 000004
【図３】
2011067582.tif 000005
【図４】
2011067582.tif 000006
(57)【要約】      （修正有）【課題】トイレットペーパー切り口を瞬時にして出す装置を提供する。【解決手段】ひもを引くか、又押すことによりロック軸が下がると同時にスプリングメーンが下がり、下部に来たときロック軸からスプリングメーンが外れ、跳ね上がる時にラックの爪に引っ掛かり、ラックとトイレットペーパーが急速に一時的に回転することにより、トイレットペーパーの切り口が出てくる。又、トイレットペ−パー軸のスプリングによって急速回転がトイレットペーパーに伝えられる。【選択図】図１
2011067593.tif 000002
【特許請求の範囲】
【請求項１】
トイレットペーパー出てくる
【発明の詳細な説明】
【発明の詳細な説明】
この発明は取り出しにくいトイレットペーパーが急撃な回転力により、トイレットペイパーの切り口がとび出だされる。
紙質にもよるが切り口がわからなく、見つけにくい為、本発明はひもを引くか押す事により一瞬にトイレットペーパー出で取りやすい方法である。
【図面の簡単な説明】
【図１】  前から見た斜視図でロック軸のヒモを引く（押す）ことにより、ロック軸がさがると、同時にスプリングメーンが下がり、下部に来たときロック軸からスプリングメーンが外れ跳ね上がる時にラックの爪にひっかかりラック（トイレットペーパー）が急速に一時的に回転する事によりトイレットペーパーの切り口が出てくる。又、トイレットペーパー軸のスプリングによって急速回転がトイレットペーパーに伝える事ができる。
【図２】  本発明の部分を前図で拡大しました。
【図１】
2011067593.tif 000003
【図２】
2011067593.tif 000004
(57)【要約】 【課題】   簡単な運動として、腹筋運動がある。比較的場所をとらず屋内で簡単にできるのでいいのだが、そのままでは起きあがるときに足が一緒にあがってしまうので、必ず足の部分を押さえるような補助具が必要となる。従来市販されていた物は、簡単なベンチの様な物に足を引っかける部分があり、ベンチの上に寝て、足を固定し腹筋運動をするようになっている。折り畳み式にはなっているが、ある程度場所をとり、折り畳んでもかなりの大きさがあるため、一般家庭ではあまり普及していなかった。   【解決手段】   それらを解消するため、足を固定する部分をスライド式にして、器具の中に収納できるようにし、かつその器具をベッドの台部分とマットレスの間に挟めるようにした。その上に腰を掛けた状態で、簡単に腹筋運動をする事ができる。またベッドの構造上、マットレスと台の間に挟めない場合は、クランプを用いて簡単にベッドの枠に固定することもでききる。【選択図】  図１
2011067530.tif 000002
【特許請求の範囲】
【請求項１】
ベッド上で簡単に腹筋運動ができる補助具 
【発明の詳細な説明】
【技術分野】
【０００１】
運動用具に関するもの 
【背景技術】
【０００２】
健康志向に合わせて、数多くの運動用具、運動補助具が作られているが、新しい用途開拓に関するものである。 
【発明の開示】
【発明が解決しようとする課題】
【０００３】
簡単な運動として、腹筋運動がある。比較的場所をとらず屋内で簡単にできるのでいいのだが、そのままでは起きあがるときに足が一緒にあがってしまうので、必ず足の部分を押さえるような補助具が必要となる。従来市販されていた物は、簡単なベンチの様な物に足を引っかける部分があり、ベンチの上に寝て、足を固定し腹筋運動をするようになっている。折り畳み式にはなっているが、ある程度場所をとり、折り畳んでもかなりの大きさがあるため、一般家庭ではあまり普及していなかった。   
【課題を解決するための手段】
【０００４】
それらを解消するため、足を固定する部分をスライド式にして、器具の中に収納できるようにし、かつその器具をベッドの台部分とマットレスの間に挟めるようにした。その上に腰を掛けた状態で、簡単に腹筋運動をする事ができる。またベッドの構造上、マットレスと台の間に挟めない場合は、クランプを用いて簡単にベッドの枠に固定することもでききる。
【発明の効果】
【０００５】
この用具を常時ベッドに挟んでおけば、就寝時や朝起きたときに、足の固定部分を引き出せば簡単にベッド上で、腹筋運動ができる。従来はいちいち機械をセットしたり、場所を移動したりする手間がかかったが、この器具を使えば起きたとき、寝る時にまさに継続した運動をすることができる。
【産業上の利用可能性】
【０００６】
健康志向が高まる中、健康増進につながる機器の需要は多く、手軽に利用でき、効果の理解しやすい本発明の利用可能性は大であり、健康器具分野のすそ野を拡げる効果も期待でき。 
【図面の簡単な説明】
【０００７】
【図１】全体の構成図および利用時の状態図である。
【符号の説明】
【０００８】
１）マットレスの下にはさむ本体
２）腹筋運動時に足を引っかける部分
３）取り付け用クランプ
４）引き出した状態
【図１】
2011067530.tif 000003
(57)【要約】【課題】大幅なコストアップがなく、取付工事現場での結線工事の必要のないＬＥＤ照明器具を提供すること。【解決手段】複数のＬＥＤ素子Ｌが長手方向に並んだＬＥＤモジュール１が直管７内に配されて直流電圧が入力されるＬＥＤ照明器具であって、ＬＥＤモジュール１に接続された正極端子２ａ及び負極端子３ｂを備え、直管７の一方の端７ａに、負極端子３ｂと接続された負極副端子２ｂが正極端子２ａとともに第一端子対２として配され、直管７の他方の端７ｂに、正極端子２ａと接続された正極副端子３ａが負極端子３ｂとともに第二端子対３として配されている。【選択図】図１
2011171075.tif 000002
【特許請求の範囲】
【請求項１】
複数のＬＥＤ素子が長手方向に並んだＬＥＤモジュールが直管内に配されて直流電圧が入力されるＬＥＤ照明器具であって、
前記ＬＥＤモジュールに接続された正極端子及び負極端子を備え、
前記直管の一方の端に、前記負極端子と接続された負極副端子が前記正極端子とともに第一端子対として配され、
前記直管の他方の端に、前記正極端子と接続された正極副端子が前記負極端子とともに第二端子対として配されていることを特徴とするＬＥＤ照明器具。
【発明の詳細な説明】
【技術分野】
【０００１】
本発明は、ＬＥＤを発光部品とし、ＬＥＤを直列又は並列又は直並列に組み合わせたＬＥＤモジュールに構成し、蛍光灯直管と同構造にしたＬＥＤ照明器具に関する。
【背景技術】
【０００２】
従来のＬＥＤ照明器具は、一対の入力端子を備えて直流電源から直流電圧の供給を受けている。ここで、従来のＬＥＤ照明器具は、図３に示すように、ＬＥＤと接続された正極端子及び負極端子は直管の片側のみに突出して配されている。そのため、灯具側の極性とＬＥＤ照明器具の極性とが一致しなければ点灯しない。
【０００３】
一致しない場合の対処方法としては、配線工事をやり直すだけでなく、直流電源側となる灯具内部に極性反転用のコネクタが設けられた灯具を開き、コネクタを差し替えたり、ＬＥＤ照明器具内にダイオードブリッジを入れて無極性化したりするもの（例えば、特許文献１を参照。)が提案されている。
【先行技術文献】
【特許文献】
【０００４】
【特許文献１】特開２００９−９９６２７号公報
【発明の概要】
【発明が解決しようとする課題】
【０００５】
しかしながら、上記従来のＬＥＤ照明器具の場合、点灯しない場合を見越して灯具側のどこかに極性反転用のコネクタを設けることになり、複雑な工事は避けられるものの、取付工事現場において結線作業が必要となる。また、無極性化するための電子部品を追加するために新規設計も含めたコストアップが発生する。
【０００６】
本発明は上記事情に鑑みて成されたものであり、大幅なコストアップがなく、取付工事現場での結線工事の必要のないＬＥＤ照明器具を提供することを目的とする。
【課題を解決するための手段】
【０００７】
本発明は、上記課題を解決するため、以下の手段を採用する。
本発明に係るＬＥＤ照明器具は、複数のＬＥＤ素子が長手方向に並んだＬＥＤモジュールが直管内に配されて直流電圧が入力されるＬＥＤ照明器具であって、前記ＬＥＤモジュールに接続された正極端子及び負極端子を備え、前記直管の一方の端に、前記負極端子と接続された負極副端子が前記正極端子とともに第一端子対として配され、前記直管の他方の端に、前記正極端子と接続された正極副端子が前記負極端子とともに第二端子対として配されていることを特徴とする。
【発明の効果】
【０００８】
本発明によれば、大幅なコストアップがなく、直流電源側で極性反転配線があっても取付工事現場での結線工事を行うことなく取り付けることができる。
【図面の簡単な説明】
【０００９】
【図１】本発明の一実施形態に係るＬＥＤ照明器具を取り付けた状態を示す概要図である。
【図２】本発明の一実施形態に係るＬＥＤ照明器具を取り付けた他の状態を示す概要図である。
【図３】従来のＬＥＤ照明器具を示す概要図である。
【発明を実施するための形態】
【００１０】
本発明に係る一実施形態について、図１及び図２を参照して説明する。
本実施形態に係るＬＥＤ照明器具４は、複数のＬＥＤ素子Ｌが長手方向に並んだＬＥＤモジュール１が直管７内に配されて直流電圧が入力されるＬＥＤ照明器具であって、ＬＥＤモジュール１に接続された正極端子２ａ及び負極端子３ｂを備え、直管７の一方の端７ａに、負極端子３ｂと接続された負極副端子２ｂが正極端子２ａとともに第一端子対２として配され、直管７の他方の端７ｂに、正極端子２ａと接続された正極副端子３ａが負極端子３ｂとともに第二端子対３として配されている。
【００１１】
すなわち、本実施形態に係るＬＥＤ照明器具４は、図３に示すような従来のＬＥＤ照明器具において、配線が空き状態の端子対を利用して正極端子２ａと正極副端子３ａとを接続し、負極端子３ｂと正極副端子３ａとを接続している。
【００１２】
ここで、直管７内に配された直流電圧入力タイプのＬＥＤモジュール１を用いたＬＥＤ照明器具４を直流電源５と接続する場合、正極端子２ａ又は正極副端子３ａは、直流電源５の正極側へ接続された直流の電極端子６ａと接続される。また、負極端子３ｂ又は負極副端子２ｂは、直流電源５の負極側へ接続された直流の電極端子６ｂと接続される。
【００１３】
図１に示すような場合、ＬＥＤ照明器具４の第一端子対２のうちの正極端子２ａが直流電源５の電極端子６ａと接続され、ＬＥＤ照明器具４の負極副端子２ｂが直流電源５の電極端子６ｂと接続されることになる。この場合、ＬＥＤモジュール１の極性と合致して点灯する。
【００１４】
一方、図２に示すように、電極端子６ａが直流電源５の負極側へ接続され、電極端子６ｂが直流電源の正極側へ接続された場合には、ＬＥＤ照明器具４の第二端子対３の負極端子３ｂが、負極側の電極端子６ａと接続される。また、正極副端子３ａは、正極側の電極端子６ｂと接続されることになる。この場合、ＬＥＤモジュール１の極性と合致して点灯する。
【００１５】
このＬＥＤ照明器具４によれば、もし点灯しない場合には、管の左右にある電極を差し替えることにより極性が一致するので、図１と図２との場合のように、直流電源５側の電極配線が入れ替わっても、ＬＥＤ照明器具４の挿入を逆にすることにより点灯させることができる。また、直流電源５側の配線工事は、特に極性を考慮する必要がなくなる。なお、商用交流電源をＤＣ電源に変換するＡＣ−ＤＣ変換装置側をＬＥＤ照明器具に適した直流電圧にすることにより、極性が違って接続されても点灯しないだけとなり、ＬＥＤ照明器具に対して損傷等の問題はない。
【００１６】
なお、本発明の技術範囲は上記実施の形態に限定されるものではなく、本発明の趣旨を逸脱しない範囲において種々の変更を加えることが可能である。
【符号の説明】
【００１７】
１    ＬＥＤモジュール
２    第一端子対
２ａ  正極端子
２ｂ  負極副端子
３    第二端子対
３ａ  正極副端子
３ｂ  負極端子
４    ＬＥＤ照明器具
７    直管
【図１】
2011171075.tif 000003
【図２】
2011171075.tif 000004
【図３】
2011171075.tif 000005
(57)【要約】【課題】従来の金属製ヒーターに比べ、形状の自由性が高く、且つ熱発生効率に優れたＣＮＴヒーターの製造法。【解決手段】ベースとなる素材をＣＮＴ又はＣＮＦの分散液を用いて毛細管現象やブラウン運動により分散液を繊維内に均等に浸透・吸着させることにより。ヒーターの本体すなわち抵抗体とする。【選択図】図１
2011171264.tif 000002
【特許請求の範囲】
【請求項１】
植物、皮革、繊維、紙、金属などにＣＮＴ、ＣＦＴ、ＣＰＴ、ＣＰＦを添加することで半導体とし、これに電流を流すことによって抵抗加熱によるジュール熱を発生せしめ、ヒーターとしての機能を持たせた製品。
【請求項２】
請求項１の方法で、ＣＮＴ濃度即ち電気抵抗値に差異を持たせた２本の抵抗体を陽極と陰極に接続し、センサーとして応用したもの。
【請求項３】
請求項１の方法で、抵抗体の一部分のみＣＮＴ濃度、即ち電気抵抗値を変化させることによって、安全ヒューズとして応用したもの。
【発明の詳細な説明】
【技術の分野】
【０００１】本発明は、元素材に導電性微細炭素構造体、すなわちカーボンナノチューブ（ＣＮＴ）、カーボンナノファイバー（ＣＮＦ）、カーボンピコチューブ（ＣＰＴ）及びカーボンピコファイバー（ＣＰＦ）を添加することで半導体とし、これに電流を流すことによって抵抗加熱によるジュール熱を発生せしめ、ヒーターとして利用することを目的とする。元素材としては、紙、布、糸、プラスチック、硝子、セラミック、石、植物、皮革、鉱物、金属など、ＣＮＴ溶液を含浸又は塗布できるものであれば何でもよい。
【背景技術】
【０００２】電気を熱源とするヒーターの方式の一つとして、温度制御の容易な抵抗加熱方式があり、家庭用・工業用に広く用いられている。【０００３】抵抗発熱体としては、鉄−クロム−アルミ系やニッケル−クロム系の金属を素材とし、これらを棒状又は線状にしたものが用いられている。
【発明の概要】
【発明が解決しようとする課題】
【０００４】従来のヒーターでは、抵抗発熱体として上記金属素材が用いられるが、これらは金属であるがゆえに形状やとり回し、及び重量に制約があった。【０００５】また、金属材料は採掘から精製、加工及び廃棄の際に多量のエネルギー消費を伴い、二酸化炭素の放出等環境への負荷も大きい。
【課題を解決する為の手段】
【０００６】ベースとなる素材、例えば和紙やセラミック材を、ＣＮＴ又はＣＮＦの分散液に染物の要領で含浸させ、毛細管現象やブラウン運動により分散液を繊維内に均等に浸透・吸着させる。
【０００７】上記の方法によりベース素材の繊維組織内に熱伝動率、電気伝導率の極めて高いＣＮＴを均一に内包させることが出来、素材に導電性を持たせることが可能となる。
【０００８】導体に電流を流すと自由電子と原子及び分子の衝突が起こり熱が発生する（ジュール熱）が、ＣＮＴは粒子径が極めて小さいが六員環配列をとっているため表面積が大きく、且つ自由電子の数も多いため、従来の抵抗体と比べて熱発生効率の高い良発熱体となる。
【０００９】このようにして作製した導電材は、形状において極めて高い自由度を持った抵抗発熱体となる。
【発明の効果】
【００１０】ＣＮＴ溶液を含浸又は塗布できるものであれば、どんなものでもヒーターとしての機能を持たせることが可能となり、従来の金属ヒーターに比べてより多様な製品への導入が可能となる。
【図面の簡単な説明】
【００１１】
【図１】は、本発明による回路図を模式的に表したものである。下図のＣＮＴヒーターはＣＮＴの微粒子によって熱振動が増えるため、上図の従来のヒーターに比べ効率よく熱が発生することを示している。
【図１】
2011171264.tif 000003
(57)【要約】【課題】    従来のパイプヒーターでは、液体の中でも表面が高温になるので、少しの水垢や汚れでも、パイプの表面に炭化物が付きヒーターの放熱を遮断して断線を起こしてしまうのである。そこで、この発明は汚れた水や液体の中でも、ヒーター線の断線を防ぐことを課題とした。【解決手段】    以上の課題を解決するために、この発明は、パイプヒーターの発熱部に吸熱板を未着させて取り付けた。【選択図】図１
2011171263.tif 000002
【特許請求の範囲】
【請求項１】
パイプヒーターと一体となった吸熱板が付いて、温度が吸熱板の放熱により急激に上がらなくしたパイプヒーター。
【発明の詳細な説明】
【技術分野】
【０００１】  この発明は、液体などを温める為に用いるパイプヒーターの形状に関する。
【背景技術】
【０００２】  従来パイプヒーターは、金属パイプの中にヒーター線を挿入され、パイプの両側から電線を引き出し電気を流すことによりパイプを熱しているものである。
【非特許文献】
【０００３】
【非特許文献１】  「坂口電熱株式会社ＳＨＥＡＴＨＨＥＡＴＥＲカタログ２０００年」
【発明の概要】
【発明が解決しようとする課題】
【０００４】  以上に述べた従来のパイプヒーターでは、急激にパイプの表面が高温になるので、少しの水垢や汚れでも、パイプ表面に炭化物などが付き、ヒーターの放熱を遮断して断線を起こしてしまうのであった。そこで、この発明は、汚れた水や液体の中でもヒーター線の断線を防ぐことを課題とした。
【課題を解決するための手段】
【０００５】  以上の課題を解決するために、この発明は、パイプヒーターの発熱部に吸熱板を密着させて取り付けたのを特徴とする。
【発明の効果】
【０００６】  この発明は、発熱部にヒーターからの吸熱板を付けたことにより、発熱量と放熱量である吸熱板の大きさを調整することにより、ヒーターを常に低温からじょじょに温度を上げる、なお水などの液体の中で使うことで水への放熱によりヒーターは、常に冷えているので、水の中の汚れに含まれる有機物を炭化することがない、したがって炭化などの原因でヒーターが切れることがない。【０００７】  従来は汚れた液体は、容器の外側からの加熱方法しかなかったが、それが可能になった。
【図面の簡単な説明】
【０００８】
【図１】  この発明の一実施形態を示す斜視図である。
【図２】  従来技術を示す斜視図である。
【符号の説明】
【０００９】      １パイプヒーター
２吸熱板
３パイプヒーターの発熱部
【発明を実施するための形態】
【０００１０】  この発明の一実施形態を、図１に示す。
パイプヒーターは、従来のパイプヒーターであるが、吸熱板２を設けた。
【実施形態の効果】
【００１１】  この実施形態によれば、吸熱板の働きで常にヒーターからの熱を吸熱板のほうへ引くので、徐々に吸熱板が温まり急にヒーターが高温になることがない、又、吸熱板は常に水などに接しているので、高温になることがない為ヒーターに炭化物が付着しない。
【図１】
2011171263.tif 000003
【図２】
2011171263.tif 000004
(57)【要約】【課題】緑化パネルを提供する。【解決手段】パネルの下部に設けた給水装置は水が流れる程度の傾斜を有し、Ｖ溝とＶ溝の上に沿って覆われている。Ｕ字型土受けの上部に沿って設けられた給水パイプによって解決することが出来る。【選択図】図２
2011062187.tif 000002
【特許請求の範囲】
【請求項１】
パネルと該パネルの下部に設けた水路からなる緑化パネルであって、前記パネルには、上部と下部に向かって径が除々に小さくなる複数の穴が配列されており、該パネルの下部に設けられた水路は断面Ｖ字型のＶ溝と該Ｖ溝に沿って覆う断面Ｕ字型の土受けとから形成され、かつ少なくとも水が流れる程度の傾斜を有し
前記土受けには、水が通過し得る複数の孔と給水孔を有する給水パイプを設けたことを特徴とする緑化パネル。
【請求項２】
前記土受けには、植込み材が収容されていることを特徴とする請求項１記載の緑化パネル。
【請求項３】
前記植込み材は、スコリア・軽石・竹炭とからなる混合物であることを特徴とする請求項２記載の緑化パネル。
【発明の詳細な説明】
【技術分野】
【０００１】  本発明は、緑化パネルに関するものである。
【背景技術】
【０００２】  従来、建築物の壁面に植物を植える場合は、複数の鉢を壁に掛けて、これらの鉢に植物を植えていた。
【発明の概要】
【発明が解決しようとする課題】
【０００３】  そのため、次のような問題点があった。
（イ）各鉢ごとに水を供給しなければならず管理が煩雑であった。
（ロ）高い位置にある鉢に水を供給するのが困難な場合があった。
（ハ）鉢は重量が重いため、落下の危険があった。
【課題を解決するための手段】
【０００４】  従来の壁に複数の鉢を設置した場合の課題を解決するために、以下の緑化パネルを提供する。
本発明はパネルと緑化パネルである。
すなわち本発明は、パネルと該パネルの下部に設けた水路からなる緑化パネルを施設することで、上記課題を解決するものである。
【発明の効果】
【０００５】  本発明は、上記の構成からなるので、水の供給管理が簡便であり、重量の重い鉢を使用しないので落下の危険性はない。
従って、本発明の緑化パネルは、例えば以下の分野で利用可能である。
（イ）砂漠から生じる黄砂の拡散
（ロ）都市部のヒ−トアイランド化の進行
（ハ）ＣＯ２の増加
（ニ）塩害進行
（ホ）騒音
すなわち本発明は、これらの発生を抑制し食い止めることが出来る。
【図面の簡単な説明】
【０００６】
【図１】本発明に係る緑化パネルの正面図
【図２】本発明に係る緑化パネルの一枚の単位パネルの正面図
【図３】単位パネルの下部に設けた給水装置の正面図
【発明を実施するための形態】
【０００７】  以下、本発明の実施の形態について説明する。
図１は、本発明に係る緑化パネルの正面図で、複数の単位パネルが配列されている。
各単位パネルの下部に設けられた給水装置２が、互に隣接する単位パネル間で接続されている。
【０００８】  給水装置２への給水は、地下水及びタンク３に貯蔵された水をポンプによって汲み上げることによって行われる。
給水が終った水は戻って再びタンク３に貯蔵され、植物に供給され減少した分の水は、地下水からの汲み上げによって補給される。
【０００９】  図２は、一枚の単位パネルの正面図で、下部に設けた給水装置２は水が流れる程度の傾斜を有している。
給水装置２は、断面Ｖ字型のＶ溝５とＶ溝５の上に沿って覆われている横断面Ｕ字型の土受け６と土受け６の上部に沿って設けられた給水パイプ７とからなる。
【００１０】  図３は、土受け６及び給水パイプには複数の穴が設けられている。
土受け６には植込み材が充填されている。
【００１１】  植込み材８として、スコリアと軽石及び竹炭の混合物が用いられる。
【００１２】  給水パイプの穴７から出た水は、土受け６に充填されていて植込み材８に浸透される。
植込み材８に植えられた植物は、給水によって育成し成長する。
【００１３】  パネルには、上部から下部に向かって径が除々に小さくなる複数の穴９が配列されている。
この複数の穴９によって建築物の壁面に緑化パネルを設置すると、騒音が吸収される。
又、砂漠等の乾燥地帯に設置すると風の強度を弱めることができ、風塵又は黄砂を減少することもできる。
【符号の説明】
【００１４】      １  パネル
２  給水装置
３  水タンク
４  ポンプ
５  Ｖ溝
６  土受け
７  給水パイプ
８  植込み材
９  穴
【図１】
2011062187.tif 000003
【図２】
2011062187.tif 000004
【図３】
2011062187.tif 000005
(57)【要約】【課題】  各喫煙者の所望する煙草の風味を付加する機能を持った煙草ケースを提供する。【解決手段】  スライド通気口（５）を配した煙草ケース（１）の内側に、香料蒸散体（３）を内蔵した香料カートリッジ（２）を配し、香料蒸散体（３）に一種類または複数種類の香料を滴下して使用することで、煙草に風味を付加する。【選択図】図１
2011062189.tif 000002
【特許請求の範囲】
【請求項１】
開閉のできる通気口（５）を設けた煙草ケースの内側に、香料蒸散体（３）を内蔵した香料カートリッジ（２）を配し、香料蒸散体（３）に香料を滴下した後煙草を煙草ケースに収納することで、煙草に香料を吸着させることを特徴とする煙草ケース。
【請求項２】
請求項１記載の、開閉のできる通気口（５）を設けた煙草ケースの内側に、香料蒸散体（３）を内蔵した香料カートリッジ（２）を配するに際し、香料カートリッジを二つから四つ配することにより、煙草により多くの香料を吸着させるか、または多種類の香料をブレンドして煙草に吸着させることを特徴とする、請求項１記載の煙草ケース。
【請求項３】
請求項１および請求項２に記載の煙草ケースに使用する香料カートリッジ（２）の内部を二つから四つに分割することで、香料カートリッジ（２）一つにつき四つまでの香料を滴下し、より多種類の香料をブレンドして煙草に吸着させることを特徴とする、請求項１および請求項２記載の煙草ケース。
【請求項４】
開閉のできる通気口（５）を設けない請求項１および請求項２および請求項３記載の煙草ケース。
【発明の詳細な説明】
【技術分野】
【０００１】  本発明は、各喫煙者が好みに応じてブレンドした香りを煙草に吸着させる機能を持つ煙草ケースに関する。
【背景技術】
【０００２】  従来から一般的に、紙巻き煙草は製造段階において、予め香料を添加した煙草の葉を紙で巻いているが、喫煙の満足感を創出するための、風味に関する工夫が大切である。【０００３】  例えば、喫煙者の多様な嗜好に応じるため、ココア・バニラ・ミントをはじめ、青リンゴ・イチゴ・コーヒー・ココナッツミルク・チェリー・オレンジなど、いろいろな香料を添加した紙巻き煙草が製造・販売されている。【０００４】  また、喫煙者の所望の風味を維持するために、通気口を設け、吸湿剤を備えることを特徴とするシガレットケース型シガレット乾燥器が発明されている（特許文献１）。
【先行技術文献】
【特許文献】
【０００５】
【特許文献１】  特許公開第２００４−１０５０９０号広報
【発明の概要】
【発明が解決しようとする課題】
【０００６】  しかしながら、市販の煙草の風味は製造者によって既定されているため、各喫煙者の所望する風味に完全に合致しないことも少なくない。【０００７】  特許文献１の発明になるシガレット乾燥機は優れた利点を持ち、煙草の風味を維持するが、本発明になる煙草ケースは、煙草の風味を付加する機能を持つ。
【課題を解決するための手段】
【０００８】  本発明になる煙草ケースは、合成樹脂やアルミニウムなどの箱（１）の内側に、取り外しのできる香料カートリッジ（２）を一つから四つ配したものである。【０００９】  香料カートリッジ（２）から蒸散した香料は、箱（１）内部の煙草に吸着される。【００１０】  香料カートリッジ（２）を複数配することにより、より多くの香料を煙草に吸着させるか、または複数種類の香料をブレンドして煙草に吸着させることができる。【００１１】  香料カートリッジ（２）の内部の繊維様の香料蒸散体（３）に香料を吸収させ、香料は香料カートリッジに配した穴（４）から蒸散する。【００１２】  箱（１）または箱の蓋部（７）に、開閉できる通気口（５）を設け、必要に応じて開閉することで、煙草に香料が過度に吸着されることを防ぐ。【００１３】  香料カートリッジ（２）の内部は一つまたは、二つから四つに分割した部屋を形成することで、一種類から四種類の香料を一つの香料カートリッジ（２）に吸収させることができる。
【図面の簡単な説明】
【００１４】
【図１】（ａ）、（ｂ）はそれぞれ、香料カートリッジ（２）を二つ装着した場合の斜視概略図と、香料カートリッジ（２）を三つ装着した場合の斜視概略図である。
【図２】（ｃ）、（ｄ）はそれぞれ、香料カートリッジの形状例の上面図である。
【図３】（ｅ）、（ｆ）は、開閉できる通気口（５）の設置例である。
【発明を実施するための形態】
【００１５】  本発明になる煙草ケースは、箱（１）や香料カートリッジ（２）や開閉できる通気口（５）の、大きさや形状など様々に形成できるが、その実施の形態について、図面に示す実施例に基づいて具体的に説明する。
【実施例】
【００１６】  ［図１］（ａ）は香料カートリッジ（２）を二つ配し、（ｂ）は香料カートリッジ（２）を三つ配した例であり、（ａ）、（ｂ）共に穴（４）は内側に向いている。【００１７】  ［図２］（ｃ）は香料カートリッジ（２）に分割した二つの部屋を形成し、穴（４）に柵（６）を設け、香料蒸散体（３）の脱落を防ぐ構造にした例であり、（ｄ）は香料カートリッジ（２）に分割した三つの部屋を形成した例である。【００１８】  開閉できる通気口（５）は、蓋部（７）や箱（１）の側面などに配し、［図３］（ｅ）は開閉できる通気口（５）が開いた状態の例であり、（ｆ）は開閉できる通気口（５）が閉じた状態の例である。【００１９】  香料蒸散体（３）に、主に液体の香料を適宜滴下して使用する。
【産業上の利用可能性】
【００２０】  各喫煙者の所望する風味を煙草に付加することで需要を生み、産業の発展に資することができる。
【符号の説明】
【００２１】  １・・・・・・・・箱
２・・・・・・・・香料カートリッジ
３・・・・・・・・香料蒸散体
４・・・・・・・・香料カートリッジの穴
５・・・・・・・・開閉できる通気口
６・・・・・・・・香料カートリッジの穴の柵
７・・・・・・・・箱の蓋部
８・・・・・・・・開閉できる通気口の蓋
【図１】
2011062189.tif 000003
【図２】
2011062189.tif 000004
【図３】
2011062189.tif 000005
(57)【要約】【課題】  犬の糞などは軟弱なものもあるので、金具で掴めなかったり、スコップ全体に付着したりして、袋にスムースに入らなく、手や袋の外側に付着することもあり不潔であった、それに全部とることが難しい。本発明は掬った汚物をそのままスライドさせて、全てを袋の中へ採取できる用具を提供する。【解決手段】パイプの先端にスコップを設け、パイプに足付き握り手を取り付け、パイプの後部に溝付きリングで止めた、砂状のものを入れている袋を差し込んでいる。【選択図】図１
2011062190.tif 000002
【特許請求の範囲】
【請求項１】
先端にスコップを設けたパイプに、握り手の取付用足を取り付け、前記パイプの後部に砂状のものを入れたチャック付き袋を設けて、溝付き止めリングで脱着出来る事を特徴とする汚物採取用具。
【発明の詳細な説明】
【技術分野】
【０００１】  本発明は、動物の糞等を拾い取るための汚物採取用具に関するものである。
【背景技術】
【０００２】  従来は挟み金具で掴んだり、砂などを別に持参しスコップですくって袋に入れたり、糞に直接紙などをかぶせて手で掴んで袋に入れて、持ち帰っていたのは知られている。
【発明の開示】
【発明が解決しようとする課題】
【０００３】  犬の糞などは軟弱なものもあるので、金具で掴めなかったり、スコップ全体に付着したりして、袋にスムースに入らなく、手に付着する事もあり不潔であった、それに全部とることが難しい。
本発明は以上の問題点を解決する為になされたものである。
【課題を解決するための手段】
【０００４】  上記問題点を解決するため、本発明は、先端にスコップを設けたパイプに、足を付けた握り手を取り付け、パイプの後部に砂状のものを入れたチャック付き袋を設けて溝付き止めリングで脱着出来る。
以上の構成よりなる汚物採取用具。
【発明の効果】
【０００５】  犬の糞などの汚物の始末を、手も汚さずに簡単に採取出き、完全に袋へ入れられる様になった。
本発明は、手で触れては危険なもの、原形を保ったまま採取したいもの等や、水中や地中の小動物の採集など、生物学、植物学、地質学等のあらゆる分野の研究にも幅広く役立ち、採取する物の種類に応じて袋及び砂状のものの材質を変えることによって多方面に使用出来る。
【発明を実施するための最良の形態】
【０００６】  以下、本発明の実施の形態を説明する。
先端に少し先のとがったスコップ（１）を設けたパイプ（３）に、足（２）の付いた握り手（４）を上面に取り付ける、前記パイプ（３）の後部に砂状のもの（７）を入れているチャック付き袋（５）を挿入し、あらかじめ袋［５］の外側に通しているゴム状の変形しやすい素材で出来た溝付きリング（６）で袋（５）を抜けないように締め付ける、それによって、採取中に袋（５）が外れ落ちないようにする、袋（５）の中の砂状のもの（７）を汚物に振りかけ、スコップ（１）で掬った汚物をスコップ（１）からパイプ（３）を通して袋（５）にスムースに入る様にしている。
本発明は以上のような構造である。
本発明を使用するときは、パイプ（３）に袋（５）をチャック（９）を溝付きリング止め（８）より奥になるまで挿入し、あらかじめ袋（５）を内側に通している溝付きリング（６）をリング止め（８）にかぶせて止める、パイプ（３）にセットされた砂状のもの（７）が入った袋（５）と同時に、握り手（４）を持ち上げて斜めにしながら、採取しようとする汚物に適量だけふり掛ける、その後汚物をスコップ（１）で掬いながら先端を上に向けるとパイプ（３）の中を通って袋（５）の中に滑り込む、これを何回繰り返しても袋（５）の中に入った汚物は溝付きリング（６）をしっかり閉めているので、重みで袋（５）ごと下へ下がっても外へ出ることが無く、砂状のもの（７）と一緒に滑り込むので、あちこちに付着することが少なく手にも付かない、全部取り終わったら溝付きリング（６）を溝付きリング止め（８）より引き放し、袋（５）をパイプ（３）から外し溝付きリング（６）を袋（５）から抜き取り、袋のチャック（９）を締めれば採取は完了である。
【図面の簡単な説明】
【０００７】
【図１】  本発明の斜視図
【図２】  本発明の断面図
【符号の説明】
【０００８】（１）スコップ
（２）足
（３）パイプ
（４）握り手
（５）袋
（６）溝付きリング
（７）砂状のもの、
（８）溝付きリング止め
（９）袋のチャック
【図１】
2011062190.tif 000003
【図２】
2011062190.tif 000004
(57)【要約】【課題】一般家庭でも手軽に漬物床の管理、維持ができ、良好な香風味を有す漬物を製造できる漬物床を提供せんとする【解決手段】野菜を主原料として発酵させた漬物床としたことを特徴とするものである。野菜は粉砕して用いるものがよく、野菜の中でも根菜類又は茎采類の一つを主原料とするものがよい。そして、発酵促進菌として乳酸菌及び雑菌の発生を防止するため塩を添加したものとしてもよい。【選択図】なし【特許請求の範囲】
【請求項１】
野菜を主原料として発酵させたことを特徴とする漬物床。
【請求項２】
野菜を粉砕したことを特徴とする請求項１記載の漬物床。
【請求項３】
根菜類又は茎采類の一つを主原料としたことを特徴とする請求項１記載の漬物床。
【請求項４】
発酵促進菌として乳酸菌及び雑菌の発生を防止するため塩を添加したことを特徴とする請求項１又は２記載の漬物床。
【発明の詳細な説明】
【技術分野】
【０００１】
本発明は、野菜等の漬物を漬けるための床に関するものである。
【背景技術】
【０００２】
漬物床の材料としては、従来から糠、麹、味噌、酒粕、からし、昆布及びおから等が知られ、漬物液材料としては、醤油、もろみ、みりん、米酢、梅酢など用いられ、また、その他の調味料や香辛料を適宜加えて使用されている。
【０００３】
更に、漬物床の材料にはアボガドを用いたもの（特開昭６１−１３２１３９号公報）、おがくずを用いたもの（実用新案登録第３０２０２３７号公報）、アルコールを含めたパンを用いたもの（特開平０７−２２７２０２号公報）、豆類、穀類または芋類の利用残渣（特開平０８−２６６２２０号公報）を用いたものも提案されている。
【先行技術文献】
【特許文献】
【０００４】
【特許文献１】特開昭６１−１３２１３９号公報
【特許文献２】特開平０７−２２７２０２号公報
【特許文献３】特開平０８−２６６２２０号公報
【特許文献４】実用新案登録第３０２０２３７号公報
【発明の概要】
【発明が解決しようとする課題】
【０００５】
一般家庭で多く利用されているぬか床は、床を維持するためには手入れが必要で煩雑であることや、漬物容器の近辺に発散する臭い自体を嫌う人もいる。
また、酒粕および麹は高価なため米糠が最も多く原料として用いられているけれど、米糠を発酵させた漬物床も著しい臭気を発生するので、近年のように気密性が高い家屋内では問題がある。
【０００６】
さらに、食物の残渣を利用するものは水分を非常に多く含むこと、再利用のための前処理が必要であること、豆類、穀類または芋類の利用残渣に乳酸菌や酵母を添加した漬物床は、他の微生物との共生により生菌体によるガスが発生すること等が指摘されている。
【０００７】
そこで、本発明は、一般家庭でも手軽に漬物床の管理、維持ができ、良好な香風味を有す漬物を製造できる漬物床を提供せんとするものである。
【課題を解決するための手段】
【０００８】
本願の発明は、野菜を主原料として発酵させた漬物床としたことを特徴とするものである。
【０００９】
本願の発明において、野菜は粉砕して用いるものがよく、野菜の中でも根菜類又は茎采類の一つを主原料とするものが好ましい。
【００１０】
そして、発酵促進剤として乳酸菌を加え、雑菌の発生を防止するため塩を添加したものとしてもよい。
【発明の効果】
【００１１】
本発明の漬物床は、漬床材料として、野菜そのものを用いている点で新規であり、その使用に伴い新規風味の漬物を提供できる効果を有するものである。
【００１２】
そして、従来のぬか等を使用する際に伴う異臭、不快さがなく、毎日のように攪拌をしなくても雑菌が繁殖する心配もなく、品質の安定した漬床を身近な原料、工程で短時間に効率よく提供・維持できる効果を有する。
【００１３】
この漬物床で得られる漬物は、選択した野菜の風味を醸し出す漬物となり、漬物独特の臭いを軽減させる効果を伴い、選択した野菜の漬物床によってはその風味が弱く殆ど感じさせずに、漬けた野菜のみの風味となるものもあり、従来にない多種多様な漬物を提供することが可能となる効果を有する。
【００１４】
更に、本発明の漬物床は日常接している野菜そのものの、しかも食用の部分を主原料とするものであるから、取り扱いに違和感が全くなく、安全性も確保されており、自らの好む野菜を選択することが可能で、従来の漬物臭さがないため漬物を敬遠している人も受け入れ易く、現代感覚の漬物を期待できるものとなる。
【発明を実施するための形態】
【００１５】
以下、本発明の実施の形態について説明する。
本発明に用いられる野菜は、通常の食用として用いられ、食用の主対象とされている部分であり、草本植物で、主に葉や根、茎（地下茎を含む）、花・つぼみ・果実をいう。
【００１６】
斯かる草本植物には、可食部により、葉を食用とするキャベツ、白菜等の葉菜類、根や地下茎を食用とする大根、人参等の根菜類や、じゃがいも、サトイモ等の茎菜類、実を食用とするもキュウリ、ナス等の果菜類があり、総て本発明の野菜に含まれ、他方、主食となる米、麦、豆等の穀物や果物は、本発明に言う野菜には含まれない。
【００１７】
また、野菜は粉砕して発酵し易くするのが好ましく、発酵を促進させるために乳酸菌を添加するようにしてもよい。
【００１８】
塩は発酵に不可欠のものではないけれど、雑菌の混入や発生を防止するために適宜加えるようにするのも良い。
また、塩は好みの味に整えるために、その他の調味料と共に加えるのも自由である。
【００１９】
具体的には、例えば人参を細かく粉砕し容器に入れ、その上に乳酸菌を少量に添加し密閉してそのまま放置しておけば、１週間ほどで発酵し漬物床として使用可能となる。
発酵のために、３８℃前後の環境に置いておけば最と早く発酵することは言うまでもない。
【００２０】
野菜には水分が含まれており、格別に水等を注入する必要はなく、水分が滲出して水が浮き上がった状態となっても、排水しなくともそのままで問題はなく、そして、床の増量は、同種の野菜又は異種の野菜を粉砕して追加して投入しておけばよく、維持管理が容易である。
【００２１】
この様にして得られた漬物床に野菜を適当な大きさに切って漬け込んで密閉し、約７〜８時間寝かせると漬物が得られる。
得られた漬物は、本来の色を保ったまま適度に軟化しており、漬物の独特の味や匂いはなく、また、人参の臭いも殆ど感じられず、若干のすっぱみを呈したまろやかな味となっていた。
(57)【要約】【課題】  風味のバランスがよく、自然なうまみを有し、健康志向に配慮したドレッシングを提供することを目的とする。【解決手段】  アミノ酸調味料、葱、玉葱、及びニンニクを含有し、防腐剤及び保存料を含有しないことを特徴とする。あるいは麹、葱、玉葱、及びニンニクを含有し、防腐剤、保存料、化学調味料及び合成添加物を含有しないことを特徴とする。【選択図】  なし【特許請求の範囲】
【請求項１】
アミノ酸調味料、葱、玉葱、及びニンニクを含有し、防腐剤及び保存料を含有しないことを特徴とするドレッシング。
【請求項２】
麹、葱、玉葱、及びニンニクを含有し、防腐剤、保存料、化学調味料及び合成添加物を含有しないことを特徴とするドレッシング。
【発明の詳細な説明】
【技術分野】
【０００１】
本発明は、アミノ酸調味料（味の素等）、葱、玉葱、及びニンニクを含有し、防腐剤及び保存料を含有しないことを特徴とするドレッシングに関する。
また、麹、葱、玉葱、及びニンニクを含有し、防腐剤、保存料、化学調味料及び合成添加物を含有しないことを特徴とするドレッシングに関する。
【背景技術】
【０００２】
ドレッシングは野菜や肉類、魚介類に掛けたり和えたりすることで使用する液状の調味料として様々な種類のものが知られており、一般に、醤油、糖類、塩、酒などをベースとして、油、酢、野菜、果物、香辛料、化学調味料等を添加、攪拌、混合、熟成することにより製造される。
【先行技術文献】
【特許文献】
【０００３】
【特許文献１】特開２００４−２２９６２３号
【発明の概要】
【発明が解決しようとする課題】
【０００４】
市場には多様な食味のドレッシングが出回っているが、消費者の嗜好の変化や多様性に応じて、常に新しい食味のドレッシングが求められる。本発明では、このような課題に鑑み、第一の目的として、新規のドレッシングであって、風味のバランスがよく、自然なうまみを有するドレッシングを提供することを目的とする。
また、昨今の消費者は健康志向が強く、防腐剤、保存料、合成添加物、化学調味料等を添加しない、いわゆる「無添加」の食品が好まれる傾向がある。本発明では、このような課題に鑑み、第二の目的として、防腐剤、保存料、合成添加物、化学調味料を使用せずとも自然なうまみを有し、味もなめらかなドレッシングを提供することを目的とする。
【課題を解決するための手段】
【０００５】
これらの目的を達成するため、本発明者らは、精鋭努力の結果、（１）アミノ酸調味料、葱、玉葱、及びニンニクを含有し、防腐剤及び保存料を含有しないことで、風味のバランスがよく、十分なうまみを有し、健康志向にも配慮したドレッシングを得ることができ、（２）麹、葱、玉葱、及びニンニクを含有し、防腐剤、保存料、化学調味料及び合成添加物を含有しないことで、いわゆる「無添加」であっても、自然なうまみを十分に有し、味もなめらかなドレッシングを得ることができるという知見を得た。特に、麹、葱、玉葱、及びニンニクを含有し、防腐剤、保存料、化学調味料及び合成添加物を含有しないドレッシングにおいて、麹を使用することにより、化学調味料及び合成添加物を加えなくとも味がなめらかになるという知見を得て本発明を完成した。
【発明の効果】
【０００６】
本発明のドレッシングは、アミノ酸調味料、葱、玉葱、及びニンニクを含有することで、風味のバランスがよく、十分なうまみを有するドレッシングを得ることができる。さらに、防腐剤及び保存料を含有しないことで、健康志向に配慮したドレッシングを提供することができる。
また、麹、葱、玉葱、及びニンニクを含有することで、風味のバランスがよく、十分なうまみを有するドレッシングを得ることができる。さらに、防腐剤、保存料、化学調味料及び合成添加物を含有しないことで、いわゆる「無添加」の食品として健康志向の強い需要者を対象としたドレッシングを提供することができる。
【発明を実施するための形態】
【０００７】
本発明のドレッシングは液状であればよく、食用油脂の有無や状態により、乳化タイプ、分離タイプ、ノンオイルタイプの何れにも応用することができる。
【０００８】
本発明のドレッシングに用いられるアミノ酸調味料としては、グルタミン酸、イノシン酸、グアニル酸等、あらゆる種類のアミノ酸であってよく、これらを一種もしくは二種以上含有するものを使用してよい。
【０００９】
本発明のドレッシングに用いられる麹としては、米麹、豆麹、麦麹、黒麹など、あらゆる種類のものを使用することができ、これらのうちの一種を使用してもよく、複数の種類を混合して使用してもよい。
【００１０】
本発明のドレッシングに用いられる葱、玉葱、ニンニクは、風味を引き出すために、すり下ろしたり、ミキサーで粉砕したりすることによってペースト状にしたものを使用してもよく、歯触りを楽しむために微塵切りのものを使用してもよい。
【００１１】
尚、本発明のドレッシングには、本発明の効果を阻害しない範囲で、醤油、ソース、食酢、みりん、酒等の各種調味料、各種野菜・果物、肉類、魚介類等の具材を粉砕したもの、もしくはこれら素材の香味油脂、香辛料などを配合することができる。
【００１２】
本発明のドレッシングを製造するには、通常のドレッシングの製法によることができる。尚、麹を使用する場合は、本発明のドレッシングの製造工程に、麹によって具材を発酵させるため発酵工程を設けてもよいが、特に発酵工程を設けずとも、麹が本来有する風味や、製造工程で自然に起こる酵素反応のみによって、ドレッシングに自然なうまみを十分に付与することができる。
【実施例】
【００１３】
実施例として以下に配合と製造手順の一例を示し、本発明を具体的に説明するが、本発明は実施例に限定されるものではない。
【００１４】
【表１】
2011062137.tif 000002
【００１５】
＜製造手順＞以下の手順によりドレッシングを作成した。
１）上記材料を準備した。
２）上記調味料及び麹をミキサーにかけ、均一に溶解させた。
３）キャノーラオイル、葱、玉葱、ニンニクをミキサーで液状になるまで粉砕混合した。
４）２）の調味料に３）を数回に分けて加え、クリーム状になるまで攪拌した。
５）４）にオリーブオイル、穀物酢、ホワイトペッパー、ブラックペッパーを加え、攪拌混合した。
６）ドレッシング容器に充填・密封した。
７）シュリンクラベルを付け、冷蔵した。
【００１６】
［実施例２］
実施例２のドレッシングは、麹の代わりに味の素を３０ｇ加えた以外は実施例１と同様にして製造した。
【００１７】
実施例１及び実施例２のドレッシングは、市販のドレッシングに比べ、風味やうまみのバランスに優れ、自然なうまみを有する製品であった。
【産業上の利用可能性】
【００１８】
本発明のドレッシングは、日本人の嗜好によく合い、特に肉・魚料理によく合うものであり、その他、サラダ、刺身、豆腐、カルパッチョなど、和・洋・中華の様々な料理に合わせることができる。
(57)【要約】      （修正有）【課題】ペットの爪を切った後に、短時間で簡単に先端を丸めることが出来る器具。【解決手段】近年、ペットを室内で飼う機会が増えてきたため、同時に室内を傷つけないように爪を処理する必要が出ている。実際に爪を処理する器具、手段は様々な方法が考案・実用化されている。しかし、多くは時間がかかるものであったり、手間がかかる作業であったりしていた。そこで、ペットの爪を切った後で、誰でも簡単に、短時間で爪の先端を丸めることができる器具の開発を行った。爪を切った後で爪の角を瞬時に丸めることが出来るため、他の切らずに削り取る方法や、切った後で手作業でヤスリをかける方法に比べて総合的に時間がかからないので、対象となるペットへの負担もはるかに少なく、器具を爪先に軽く当てるだけの簡単なものであるため、誰でも実施可能である。【選択図】図３−１
2011062191.tif 000002
【特許請求の範囲】
【請求項１】
ペット、主に犬の爪を切った際に、切断面の角を容易に丸めることができる器具。
【発明の詳細な説明】
【技術分野】
【０００１】本発明は、ペットの爪、主に犬の爪を爪切りなどで切断した後に、切断面の角を容易に丸めることを可能としている装置の提供である。
【背景技術】
【０００２】  ペットの爪切り用の器具は、現在さまざまなものが発明され、実用化されている。また、ペットの身だしなみを整える専門業者なども爪切りを一般的に行うことが多い。たいていの場合、爪切り器具で爪をせん断し、爪先をヤスリがけして爪先を丸めているのが現状である。しかし、せん断した後の爪を丸めるために実施するヤスリがけは、対象となるペットが動いたり暴れたりして難しいものがある。同時に、ヤスリで角を取るように爪先を丸めることは、手作業では時間が長くかかる上、非常に難しい。最近になり、電動式の爪研ぎ器具も発明されて、爪を切断することなく削り落とす方法で、爪の手入れをすることも出来るようになった。しかし、切断するよりも時間がかかる上、時間がかかることで対象となるペットに負担がかかる場合もある。
【発明の開示】
【発明が解決しようとする課題】
【０００３】  上記の問題点を解決するために、ペットの爪を切った後に、誰でも間単に、短時間で爪先を丸めることができる器具を提供するものである。
【発明を実施するための最良の形態】
【０００４】次に図１−１、図１−２、図２、図３−１、図３−２、図３−３により発明の実施の形態を説明する。【０００５】  図１−１により、本発明の外観を示す。正面図、側面図、上面図、下面図、背面図をそれぞれ示す。次に、図１−２により断面図を示す。部品名称は、それぞれＡが本体、Ｂが砥石、Ｃが軸受け、Ｄが砥石軸、Ｅがモーター、Ｆがカップリング、Ｇがモーター軸、ＩＩがモーターのスイッチ、Ｉがモーターを作動させる電池となっている。Ｂの砥石とＤの砥石軸は一体となっている。ＦのカップリングはＤの砥石軸とＧのモーター軸をつなぐ役割を持っている。以上により、Ｅのモーターが回転することにより、連動してＢの砥石が回転することが出来る。次に、Ｂの砥石について、図２を用いて説明する。Ｂの砥石は図２に示すように、先端の形状がすり鉢形状となっている。すり鉢形状は砥石軸Ｄと同心軸の形状とする。以上を踏まえて、実際の使用方法について、図３−１、図３−２、図３−３を用いて説明する。
図３−１において、ペットの爪のせん断を実施した状態を示す。この状態では爪の先端は、切断面に対して角が立っている状態である。次に、図３−２において、本発明の使用状況を示す。爪の切断面に対して、砥石Ｂのすり鉢形状部分を垂直方向に軽く押し当てる。すり鉢形状は底面が球面となっているから、切断面の角は面取りされ、先端部分は丸められる。以上により、図３−３に示すとおり、爪の先端全体が丸められることになる。
【発明の効果】
【０００６】〔０００５〕で記述した方法における最大の利点は、爪をせん断した後に、短時間で簡単に先端を丸めることが出来る点である。従来行われているヤスリがけなどの仕上げ方法と比較して、熟練が不要で、回転する砥石に数秒当てるだけなので、誰でも簡単に爪の先端を丸く仕上げることが可能である。短時間で仕上げが出来るため、ペットに対しての負荷も少なくて済む。
【図面の簡単な説明】
【０００７】
【図１−１】爪砥ぎ器具の展開図である。。
【図１−２】爪砥ぎ器具の断面図である。
【図２】砥石Ｂの形状の斜視図である。
【図３−１】ペットの爪をせん断した状態を示す模式図である。
【図３−２】せん断した爪を砥石に押し当てている状態を示す模式図である。
【図３−３】砥石で丸めたペットの爪を示す模式図である。
【図１−１】
2011062191.tif 000003
【図１−２】
2011062191.tif 000004
【図２】
2011062191.tif 000005
【図３−１】
2011062191.tif 000006
【図３−２】
2011062191.tif 000007
【図３−３】
2011062191.tif 000008